(57)【要約】【課題】  他の画像処理装置が保持しているユーザ情報を一の画像処理装置で使用可能とする画像処理装置，ユーザ情報取得方法およびユーザ情報提供方法を提供することを目的とする。【解決手段】  取得したユーザ情報を用いて、第１プログラム２４が所定の処理を行う画像処理装置１ｂであって、ユーザ情報を取得する取得先として少なくとも画像処理装置１ａを選択可能な取得先選択手段３９と、自機のユーザ情報を管理する第１ユーザ情報管理手段３７とを有し、第１プログラム２４が、第１ユーザ情報管理手段３７およびユーザ情報を取得する取得先として選択された他の画像処理装置１ａの第２ユーザ情報管理手段３７を介して、第２ユーザ情報管理手段３７が管理するユーザ情報を取得することにより上記課題を解決する。【選択図】  図８
2005088529.tif 000002
【特許請求の範囲】
【請求項１】
取得したユーザ情報を用いて、一つ以上の第１プログラムが所定の処理を行う画像処理装置であって、
前記ユーザ情報を取得する取得先として少なくとも他の画像処理装置を選択可能な取得先選択手段と、
自機のユーザ情報を管理する第１ユーザ情報管理手段とを有し、
前記第１プログラムが、前記第１ユーザ情報管理手段および前記ユーザ情報を取得する取得先として選択された他の画像処理装置の第２ユーザ情報管理手段を介して、前記第２ユーザ情報管理手段が管理するユーザ情報を取得することを特徴とする画像処理装置。
【請求項２】
前記取得先選択手段は、操作者から入力された他の画像処理装置の識別子に応じて前記取得先を選択することを特徴とする請求項１記載の画像処理装置。
【請求項３】
前記取得先選択手段は、一つ以上の他の画像処理装置の情報を管理する外部の管理情報保持手段から前記ユーザ情報を保持している前記他の画像処理装置の機器名一覧情報を取得し、操作パネルに表示させた機器名一覧情報から操作者が選択した前記他の画像処理装置に応じて前記取得先を選択することを特徴とする請求項１記載の画像処理装置。
【請求項４】
前記取得先選択手段は、予め登録されている前記他の画像処理装置のアイコンに関する情報を取得し、操作パネルに表示させた前記他の画像処理装置のアイコンから操作者が選択したアイコンに応じて前記取得先を選択することを特徴とする請求項１記載の画像処理装置。
【請求項５】
前記取得先選択手段は、予め登録されている前記他の画像処理装置の機器名一覧情報を取得し、操作パネルに表示させた機器名一覧情報から操作者が選択した前記他の画像処理装置に応じて前記取得先を選択することを特徴とする請求項１記載の画像処理装置。
【請求項６】
前記取得先選択手段は、一つ以上の他の画像処理装置の情報を管理する外部の管理情報保持手段から、前記ユーザ情報を保持しており且つ故障中の前記他の画像処理装置の機器名一覧情報を取得し、操作パネルに表示させた機器名一覧情報から操作者が選択した前記他の画像処理装置に応じて前記取得先を選択することを特徴とする請求項１記載の画像処理装置。
【請求項７】
前記取得先選択手段は、一つ以上の他の画像処理装置の情報を管理する外部の管理情報保持手段から前記ユーザ情報を保持している前記他の画像処理装置の機器名一覧情報を取得し、その機器名一覧情報から所定の条件に合致する機器名を選択して前記機器名一覧情報を更新し、操作パネルに表示させた更新後の機器名一覧情報から操作者が選択した前記他の画像処理装置に応じて前記取得先を選択することを特徴とする請求項１記載の画像処理装置。
【請求項８】
前記操作パネルに機器名一覧情報またはアイコンを表示すると共に、前記機器名一覧情報から選択された他の画像処理装置または前記操作者が選択したアイコンに対応する他の画像処理装置の詳細情報を表示することを特徴とする請求項３乃至７何れか一項記載の画像処理装置。
【請求項９】
前記第１ユーザ情報管理手段は、前記第１プログラムからの要求に応じて、前記他の画像処理装置の第２ユーザ情報管理手段にクライアント登録し、前記第２ユーザ情報管理手段が管理するユーザ情報を取得して前記第１プログラムに提供することを特徴とする請求項１記載の画像処理装置。
【請求項１０】
前記第１ユーザ情報管理手段は、前記第１プログラムからの要求に応じて、前記他の画像処理装置の第２ユーザ情報管理手段にクライアント登録したあと、前記第２ユーザ情報管理手段に能力を問い合わせ、前記第２ユーザ情報管理手段の能力を前記第１プログラムに通知することを特徴とする請求項１記載の画像処理装置。
【請求項１１】
前記第１ユーザ情報管理手段は、前記第１プログラムから自機のユーザ情報に対する使用通知を受信すると、前記第１ユーザ情報管理手段が管理するユーザ情報を取得して前記第１プログラムに提供する一方、
前記第１プログラムから外部のユーザ情報に対する使用開始通知を受信すると、前記他の画像処理装置の第２ユーザ情報管理手段にクライアント登録し、前記第２ユーザ情報管理手段が管理するユーザ情報を取得して前記第１プログラムに提供することを特徴とする請求項１記載の画像処理装置。
【請求項１２】
前記第１ユーザ情報管理手段は、前記第１プログラムから外部のユーザ情報に対する使用終了通知を受信すると、前記第２ユーザ情報管理手段が管理するユーザ情報の取得を終了することを特徴とする請求項１１記載の画像処理装置。
【請求項１３】
前記第１ユーザ情報管理手段は、前記他の画像処理装置の第２ユーザ情報管理手段にクライアント登録したあと、前記第１プログラムからユーザ情報に関する処理の要求を受信すると、その要求を前記他の画像処理装置の第２ユーザ情報管理手段に転送し、前記第２ユーザ情報管理手段に前記要求に応じた処理を行わせることを特徴とする請求項１記載の画像処理装置。
【請求項１４】
前記第１ユーザ情報管理手段は、前記他の画像処理装置の第２ユーザ情報管理手段にクライアント登録したあと、前記第１プログラムからユーザ情報取得要求を受信すると、そのユーザ情報取得要求を前記他の画像処理装置の第２ユーザ情報管理手段に転送し、前記第２ユーザ情報管理手段から前記ユーザ情報取得要求に応じたユーザ情報を取得して前記第１プログラムに提供することを特徴とする請求項１記載の画像処理装置。
【請求項１５】
前記第１プログラムは、前記他の画像処理装置の第２プログラムとの間で暗号化に関するネゴシエーションを事前に行うことを特徴とする請求項１記載の画像処理装置。
【請求項１６】
前記第１プログラムは、前記他の画像処理装置の第２プログラムとの間で行った暗号化に関するネゴシエーションに応じて、前記第１プログラムと第２プログラムとの間を送受信される情報の暗号化に関する設定を行うことを特徴とする請求項１５記載の画像処理装置。
【請求項１７】
前記第１プログラムは、操作者が操作パネルを操作して設定した暗号化の鍵と、前記他の画像処理装置の第２プログラムに設定されている暗号化の鍵とが一致しているか否かを判定することを特徴とする請求項１６記載の画像処理装置。
【請求項１８】
ユーザ情報を保持している画像処理装置であって、
取得したユーザ情報を用いて一つ以上の第１プログラムが所定の処理を行う他の画像処理装置とネットワークを介して接続されており、前記画像処理装置が自機のユーザ情報を管理する第１ユーザ情報管理手段及び前記他の画像処理装置が自機のユーザ情報を管理する第２ユーザ情報管理手段を介して、前記第１ユーザ情報管理手段が管理するユーザ情報を前記第１プログラムに提供することを特徴とする画像処理装置。
【請求項１９】
取得したユーザ情報を用いて、一つ以上の第１プログラムが所定の処理を行う画像処理装置のユーザ情報取得方法であって、
前記ユーザ情報を取得する取得先として他の画像処理装置を選択する段階と、
前記第１プログラムが、自機のユーザ情報を管理する第１ユーザ情報管理手段および前記ユーザ情報を取得する取得先として選択された他の画像処理装置の第２ユーザ情報管理手段を介して、前記第２ユーザ情報管理手段が管理するユーザ情報を取得することを特徴とするユーザ情報取得方法。
【請求項２０】
ユーザ情報を保持している画像処理装置のユーザ情報提供方法であって、
取得したユーザ情報を用いて一つ以上の第１プログラムが所定の処理を行う他の画像処理装置とネットワークを介して接続されており、前記画像処理装置が自機のユーザ情報を管理する第１ユーザ情報管理手段及び前記他の画像処理装置が自機のユーザ情報を管理する第２ユーザ情報管理手段を介して、前記第１ユーザ情報管理手段が管理するユーザ情報を前記第１プログラムに提供する段階を有することを特徴とするユーザ情報提供方法。
【発明の詳細な説明】
【技術分野】
【０００１】
本発明は、画像処理装置，ユーザ情報取得方法およびユーザ情報提供方法に係り、特にユーザ情報を用いて所定の処理を行う画像処理装置，その画像処理装置におけるユーザ情報取得方法およびユーザ情報提供方法に関する。
【背景技術】
【０００２】
近年、プリンタ，コピー，ファクシミリおよびスキャナなどの各装置の機能を１つの筐体内に収納した画像処理装置が知られるようになった。このような画像処理装置は、１つの筐体内に表示部，印刷部および撮像部などを設けると共に、プリンタ，コピー，ファクシミリおよびスキャナにそれぞれ対応する４種類のソフトウェアを設け、そのソフトウェアを切り替えることより、プリンタ，コピー，ファクシミリおよびスキャナとして動作させるものである。例えば特許文献１には、上記のような画像処理装置の一例が記載されている。
【０００３】
このような画像処理装置は、１つ以上のクライアント，サーバまたは他の画像処理装置等で構成されたネットワークシステムに接続されて利用される。したがって、画像処理装置は、コピー，スキャナやファクシミリ等で利用するメールアドレスやファクシミリ番号などの宛先データをユーザ情報として予め設定しておくことが多い。
【特許文献１】特開２００２−８４３８３号公報
【発明の開示】
【発明が解決しようとする課題】
【０００４】
従来、画像処理装置に対するユーザ情報の設定は、画像処理装置毎に行われることが多かった。即ち、従来の画像処理装置では、予め設定されているユーザ情報しか利用することができなかった。このため、従来の画像処理装置では、故障などの何らかの理由でプリンタ，コピー，ファクシミリおよびスキャナの機能などが利用できなくなった場合、その画像処理装置に設定されているユーザ情報が利用できなくなるという問題があった。
【０００５】
例えば一の画像処理装置にだけ設定されているユーザ情報を利用してファクシミリを行う場合に、その画像処理装置のファクシミリ機能が故障すると、一の画像処理装置からファックス送信することができず、又、該当するユーザ情報がないため他の画像処理装置からもファックス送信することができなかった。
【０００６】
本発明は、上記の点に鑑みなされたもので、他の画像処理装置が保持しているユーザ情報を一の画像処理装置で使用可能とする画像処理装置，ユーザ情報取得方法およびユーザ情報提供方法を提供することを目的とする。
【課題を解決するための手段】
【０００７】
そこで、上記課題を解決するため、本発明は、取得したユーザ情報を用いて、一つ以上の第１プログラムが所定の処理を行う画像処理装置であって、前記ユーザ情報を取得する取得先として少なくとも他の画像処理装置を選択可能な取得先選択手段と、自機のユーザ情報を管理する第１ユーザ情報管理手段とを有し、前記第１プログラムが、前記第１ユーザ情報管理手段および前記ユーザ情報を取得する取得先として選択された他の画像処理装置の第２ユーザ情報管理手段を介して、前記第２ユーザ情報管理手段が管理するユーザ情報を取得することを特徴とする。
【０００８】
また、本発明は、ユーザ情報を保持している画像処理装置であって、取得したユーザ情報を用いて一つ以上の第１プログラムが所定の処理を行う他の画像処理装置とネットワークを介して接続されており、前記画像処理装置が自機のユーザ情報を管理する第１ユーザ情報管理手段及び前記他の画像処理装置が自機のユーザ情報を管理する第２ユーザ情報管理手段を介して、前記第１ユーザ情報管理手段が管理するユーザ情報を前記第１プログラムに提供することを特徴とする。
【０００９】
また、本発明は、取得したユーザ情報を用いて、一つ以上の第１プログラムが所定の処理を行う画像処理装置のユーザ情報取得方法であって、前記ユーザ情報を取得する取得先として他の画像処理装置を選択する段階と、前記第１プログラムが、自機のユーザ情報を管理する第１ユーザ情報管理手段および前記ユーザ情報を取得する取得先として選択された他の画像処理装置の第２ユーザ情報管理手段を介して、前記第２ユーザ情報管理手段が管理するユーザ情報を取得することを特徴とする。
【００１０】
また、本発明は、ユーザ情報を保持している画像処理装置のユーザ情報提供方法であって、取得したユーザ情報を用いて一つ以上の第１プログラムが所定の処理を行う他の画像処理装置とネットワークを介して接続されており、前記画像処理装置が自機のユーザ情報を管理する第１ユーザ情報管理手段及び前記他の画像処理装置が自機のユーザ情報を管理する第２ユーザ情報管理手段を介して、前記第１ユーザ情報管理手段が管理するユーザ情報を前記第１プログラムに提供する段階を有することを特徴とする。
【００１１】
本発明では、ユーザ情報を提供する画像処理装置のユーザ情報管理手段およびユーザ情報を取得する画像処理装置のユーザ情報管理手段を介して、ユーザ情報を取得する画像処理装置のプログラムにユーザ情報を提供する。このように、本発明では一の画像処理装置と他の画像処理装置との間で行うユーザ情報の送受信を、ユーザ情報管理手段を介して行っている。
【００１２】
したがって、本発明では、プログラムが他の画像処理装置からユーザ情報を取得する場合に、自機のユーザ情報管理手段に要求すれば、自機のユーザ情報管理手段が他の画像処理装置のユーザ情報管理手段を介してユーザ情報を取得し、そのユーザ情報をプログラムに提供する。このため、本発明では、ユーザ情報を取得する取得先として選択された他の画像処理装置から一の画像処理装置にユーザ情報を提供できる。
【発明の効果】
【００１３】
本発明によれば、他の画像処理装置が保持しているユーザ情報を一の画像処理装置で使用できる。
【発明を実施するための最良の形態】
【００１４】
次に、本発明を実施するための最良の形態を、以下の実施例に基づき図面を参照しつつ説明していく。なお、本実施例では画像処理装置を一例として説明するが、ユーザ情報を用いて所定の処理を行う如何なる情報処理装置であってもよい。また、ユーザ情報を一例として説明するが、所定の処理を行うために使用される如何なる情報であってもよい。
【００１５】
図１は、本発明による画像処理装置の一実施例の構成図である。図１の画像処理装置１は、ソフトウェア群２と，融合機起動部３と，ハードウェア資源４とを含むように構成される。
【００１６】
融合機起動部３は画像処理装置１の電源投入時に実行され、アプリケーション層５およびプラットフォーム６のプログラムをハードディスク装置（以下、ＨＤＤという）などから読み出し、読み出した各プログラムをメモリ領域に転送して起動する。ハードウェア資源４は、プロッタ１１と，スキャナ１２と，ファクシミリなどのその他のハードウェアリソース１３とを含む。また、ソフトウェア群２はＵＮＩＸ（登録商標）などのオペレーティングシステム（以下、ＯＳという）上に起動されているアプリケーション層５とプラットフォーム６とを含む。
【００１７】
アプリケーション層５は、プリンタ，コピー，ファックスおよびスキャナなどの画像形成にかかる固有の処理を行うプログラムとして、プリンタアプリ２１と，コピーアプリ２２と，ファックスアプリ２３と，スキャナアプリ２４と，ネットファイルアプリ２５とを含む。なお、ネットファイルアプリ２５はネットワークファイル用のアプリケーションであり、画像処理装置１にネットワークを介して接続されるネットワーク機器（他の画像処理装置を含む）とのデータ通信を管理するものである。
【００１８】
プラットフォーム６は、アプリケーション層５からの処理要求を解釈してハードウェア資源４の獲得要求を発生するコントロールサービス層９と、１つ以上のハードウェア資源４の管理を行ってコントロールサービス層９からの獲得要求を調停するＳＲＭ（システムリソースマネージャ）４０と、ＳＲＭ４０からの獲得要求に応じてハードウェア資源４の管理を行うハンドラ層１０とを含む。
【００１９】
コントロールサービス層９は、ＮＣＳ３１，ＤＣＳ３２，ＯＣＳ３３，ＦＣＳ３４，ＥＣＳ３５，ＭＣＳ３６，ＵＣＳ３７，ＣＣＳ３８，ＳＣＳ３９など、一つ以上のサービスモジュールを含むように構成されている。なお、プラットフォーム６は予め定義されている関数により、アプリケーション層５からの処理要求を受信するＡＰＩ４３を有するように構成されている。ＯＳは、アプリケーション層５およびプラットフォーム６の各ソフトウェアをプロセスとして並列実行する。
【００２０】
ＮＣＳ（ネットワークコントロールサービス）３１のプロセスは、ネットワーク側から各プロトコルによって受信したデータを各アプリケーションに振り分ける際の仲介、又は各アプリケーションからのデータをネットワーク側に送信する際の仲介を行う。例えばＮＣＳ３１は、画像処理装置にネットワークを介して接続されているネットワーク機器とのデータ通信を制御する。
【００２１】
ＤＣＳ（デリバリーコントロールサービス）３２のプロセスは、画像処理装置１に蓄積されている文書データの配送などの制御を行う。ＯＣＳ（操作パネルコントロールサービス）３３のプロセスは、後述する操作パネルの制御を行う。
【００２２】
ＦＣＳ（ファックスコントロールサービス）３４のプロセスは、アプリケーション層５からＰＳＴＮまたはＩＳＤＮ網を利用したファックスの送受信，バックアップ用のメモリで管理されている各種ファックスデータの登録又は引用，ファックスの読み取り，ファックスの受信印刷などを行うためのＡＰＩを提供する。
【００２３】
ＥＣＳ（エンジンコントロールサービス）３５のプロセスは、プロッタ１１，スキャナ１２，ハードウェアリソース１３などのエンジン部の制御を行う。ＭＣＳ（メモリコントロールサービス）３６のプロセスは、メモリの取得又は解放，ＨＤＤの利用，画像データの圧縮および伸張などの制御を行う。ＵＣＳ（ユーザ情報コントロールサービス）３７のプロセスは、ユーザ情報の管理を行うものである。
【００２４】
ＣＣＳ（セキュリティコントロールサービス）３８のプロセスは、アプリケーション層５のプログラムに対してセキュリティサービスを提供する。また、ＳＣＳ（システムコントロールサービス）３９のプロセスは、アプリケーションの管理，操作部の制御，システム画面の表示，ＬＥＤの表示，ハードウェア資源の管理，割り込みアプリケーションの制御などの処理を行う。
【００２５】
ＳＲＭ４０のプロセスは、ＳＣＳ３９と共にシステムの制御およびハードウェア資源４の管理を行うものである。例えばＳＲＭ４０のプロセスは、プロッタ１１やスキャナ１２などのハードウェア資源４を利用する上位層からの獲得要求に従って調停を行い、ハードウェア資源４の実行を制御する。
【００２６】
具体的に、ＳＲＭ４０のプロセスは獲得要求されたハードウェア資源４が利用可能であるか（他の獲得要求により利用されていないか）を判定し、利用可能であれば獲得要求されたハードウェア資源４が利用可能である旨を上位層に通知する。ＳＲＭ４０のプロセスは、上位層からの獲得要求に対してハードウェア資源４を利用するためのスケジューリングを行い、要求内容（プリンタエンジンによる紙搬送と作像動作，メモリの確保，ファイルの生成など）を直接実施している。
【００２７】
また、ハンドラ層１０は後述するＦＣＵ（ファックスコントロールユニット）の管理を行うＦＣＵＨ（ファックスコントロールユニットハンドラ）４１と、プロセスに対するメモリの割り振り及びプロセスに割り振ったメモリの管理を行うＩＭＨ（イメージメモリハンドラ）４２とを含む。ＳＲＭ４０及びＦＣＵＨ４１は、予め定義されている関数によりハードウェア資源４に対する処理要求を送信するエンジンＩ／Ｆ４４を利用して、ハードウェア資源４に対する処理要求を行う。
【００２８】
図１の構成により、画像処理装置１は各アプリケーションで共通的に必要な処理をプラットフォーム６で一元的に処理することができる。次に、画像処理装置１のハードウェア構成について説明する。
【００２９】
図２は、本発明による画像処理装置の一実施例のハードウェア構成図である。画像処理装置１は、コントローラ６０と，操作パネル８０と，ＦＣＵ８１と，エンジン部８２とを含む。図２のコントローラ６０は、ＣＰＵ６１と，システムメモリ６２と，ＮＢ（ノースブリッジ）６３と，ＳＢ（サウスブリッジ）６４と，ＡＳＩＣ６６と，ローカルメモリ６７と，ＨＤＤ６８と、ネットワークインターフェースカード（ＮＩＣ）６９と，ＵＳＢ用Ｉ／Ｆ７０と，ＩＥＥＥ１３９４用Ｉ／Ｆ７１と，セントロニクス用Ｉ／Ｆ７２とを含むように構成される。
【００３０】
操作パネル８０は、コントローラ６０のＡＳＩＣ６６に接続されている。また、ＦＣＵ８１およびエンジン部８２は、コントローラ６０のＡＳＩＣ６６にＰＣＩバス８３で接続されている。コントローラ６０は、ＡＳＩＣ６６にローカルメモリ６７，ＨＤＤ６８などが接続されると共に、ＣＰＵ６１とＡＳＩＣ６６とがＣＰＵチップセットのＮＢ６３を介して接続されている。コントローラ６０は、ＮＢ６３を介してＣＰＵ６１とＡＳＩＣ６６とを接続することにより、ＣＰＵ６１のインターフェースが公開されていない場合に対応する。
【００３１】
ＡＳＩＣ６６とＮＢ６３とは、ＡＧＰ（Accelerated Graphics Port ）６５を介して接続されている。このように、図１のアプリケーション層５やプラットフォーム６を形成する一つ以上のプロセスを実行制御するため、ＡＳＩＣ６６とＮＢ６３とを低速のＰＣＩバスでなくＡＧＰ６５を介して接続することで、パフォーマンスの低下を防いでいる。
【００３２】
ＣＰＵ６１は、画像処理装置１の全体制御を行うものである。ＣＰＵ６１は、ＯＳ上にＮＣＳ３１，ＤＣＳ３２，ＯＣＳ３３，ＦＣＳ３４，ＥＣＳ３５，ＭＣＳ３６，ＵＣＳ３７，ＣＣＳ３８，ＳＣＳ３９をそれぞれプロセスとして起動して実行させると共に、アプリケーション層５を形成するプリンタアプリ２１，コピーアプリ２２，ファックスアプリ２３，スキャナアプリ２４およびネットファイルアプリ２５を起動して実行させる。
【００３３】
また、ＮＢ６３はＣＰＵ６１，システムメモリ６２，ＳＢ６４，ＡＳＩＣ６６，ＮＩＣ６９，ＵＳＢ用Ｉ／Ｆ７０，ＩＥＥＥ１３９４用Ｉ／Ｆ７１，セントロニクス用Ｉ／Ｆ７２を接続するためのブリッジである。ＳＢ６４，ＮＩＣ６９，ＵＳＢ用Ｉ／Ｆ７０，ＩＥＥＥ１３９４用Ｉ／Ｆ７１およびセントロニクス用Ｉ／Ｆ７２は、ＰＣＩバス７３を介してＮＢ６３に接続されている。ＳＢ６４は、ＰＣＩバス７３とＲＯＭや周辺デバイス等とを接続するためのブリッジである。
【００３４】
システムメモリ６２は、描画用のメモリなどとして用いるメモリである。ローカルメモリ６７は、コピー用の画像バッファ，符号バッファとして用いるメモリである。ＡＳＩＣ６６は、画像処理用のハードウェア要素を有する画像処理用途向けのＩＣである。ＨＤＤ６８は、画像データの蓄積，文書データの蓄積，プログラムの蓄積，フォントデータの蓄積，フォームの蓄積などを行うストレージ（補助記憶装置）の一例である。
【００３５】
ＮＩＣ６９は、画像処理装置１をネットワークに接続するインターフェースである。ＵＳＢ用Ｉ／Ｆ７０，ＩＥＥＥ１３９４用Ｉ／Ｆ７１，セントロニクス用Ｉ／Ｆ７２は、夫々の規格に準じたインターフェースである。操作パネル８０は、操作者からの入力操作を受け付けると共に、オペレータに向けた表示を行う操作部である。なお、ＦＣＵ８１はメモリを有している。ＦＣＵ８１が有するメモリは、例えば画像処理装置１の電源がＯＦＦのときに受信したファクシミリデータを一時的に格納するために利用される。
【００３６】
図３は、ネットワークを介して接続されている二つの画像処理装置を表した一例の構成図である。図３では、画像処理装置１ａ及び１ｂがＬＡＮ（local area network）やインターネット等のネットワーク１００を介して接続されている。画像処理装置１ａは、自機のユーザ情報として予めユーザ情報１０１ａが設定されている。また、画像処理装置１ｂは自機のユーザ情報として予めユーザ情報１０１ｂが設定されている。なお、画像処理装置１ａ及び１ｂは、自機のネットワークモジュールを介してデータの送受信を行っているが、ネットワークモジュールの図示や説明を省略している。
【００３７】
以下、画像処理装置１ｂが、画像処理装置１ａのユーザ情報１０１ａを一時的に取得して利用する処理について説明していく。このように、画像処理装置１ｂが、画像処理装置１ａのユーザ情報１０１ａを一時的に取得して利用する例としては、画像処理装置１ａのスキャナ機能又はファックス機能のみが故障した場合や画像処理装置１ａを他人が占有している場合などが考えられる。
【００３８】
まず、本発明の理解を容易とする為に、ユーザ情報を利用するモジュールの一例としてのファックスアプリ２３又はスキャナアプリ２４が、ユーザ情報を管理するモジュールの一例としてのＵＣＳ３７から自機のユーザ情報を取得してアドレス帳画面を表示する処理について説明する。
【００３９】
図４は、ユーザ情報の取得要求，追加要求，変更要求，削除要求について説明するための図である。なお、図４では説明に必要のない構成を省略している。画像処理装置１ｂに含まれるＵＣＳ３７は、ユーザ情報１０１ｂを一元管理している。ＵＣＳ３７が管理するユーザ情報１０１ｂには、名前，メールアドレス，ＦＡＸ番号などのデータ項目が含まれている。ＵＣＳ３７は、ファックスアプリ２３，スキャナアプリ２４又はＳＣＳ３９からの取得要求に応じて、ユーザ情報１０１ｂをファックスアプリ２３，スキャナアプリ２４又はＳＣＳ３９に提供する。また、ＵＣＳ３７は、ＳＣＳ３９からの追加要求，変更要求又は削除要求に応じて、ユーザ情報１０１ｂを追加，変更又は削除する。
【００４０】
ファックスアプリ２３は、ＵＣＳ３７にユーザ情報１０１ｂの取得要求を行い、ユーザ情報１０１ｂのうちファックス機能に必要なユーザ情報１０４を取得し、そのユーザ情報１０４を用いて操作パネル８０にアドレス帳画面１１０を表示する。アドレス帳画面１１０には、ファックスデータを送信可能な宛先（例えばＦＡＸ番号）が表示される。
【００４１】
スキャナアプリ２４は、ＵＣＳ３７にユーザ情報１０１ｂの取得要求を行い、ユーザ情報のうちスキャナ機能に必要なユーザ情報１０５を取得し、そのユーザ情報１０５を用いて操作パネル８０にアドレス帳画面１２０を表示する。アドレス帳画面１２０には、スキャナデータを送信可能な宛先（例えばメールアドレス）が表示される。
【００４２】
ＳＣＳ３９のシステム初期設定機能１０３は、ＵＣＳ３７にユーザ情報１０１ｂの取得要求，追加要求，変更要求，削除要求を行い、ユーザ情報１０１ｂのうち必要なユーザ情報の取得，追加，変更，削除を行う。なお、ＳＣＳ３９のソフトキーボード機能１０２は操作パネル８０にソフトキーボードを表示し、そのソフトキーボードの制御を行う。
【００４３】
ここで、スキャナアプリ２４が操作パネル８０に表示するアドレス帳画面１２０について更に説明する。図５は、スキャナアプリが操作パネルに表示するアドレス帳画面の一例のイメージ図である。例えば画像処理装置１の筐体に設けられたスキャナアプリ２４を起動させるためのハードキーが押下されると、スキャナアプリ２４は前述したようにＵＣＳ３７からユーザ情報１０５を取得し、そのユーザ情報１０５を使用してアドレス帳画面１２１を操作パネル８０に表示する。
【００４４】
図５のアドレス帳画面１２１には、見出し「常用」に所属するメールアドレスを持った１２個のエントリが含まれている。ここで、操作者が操作パネル８０を操作してアドレス帳画面１２１からエントリ「０００１太田」を選択すると、スキャナアプリ２４はユーザ情報１０５を使用してアドレス帳画面１２２を操作パネル８０に表示する。図５のアドレス帳画面１２２には、エントリ「０００１太田」に関連付けられているメールアドレス「ｏｈｔａ＠ｒｉｃｏｈ．ｊｐ」が含まれる。
【００４５】
アドレス帳画面１２１及び１２２に含まれる見出し及びエントリは、ユーザ情報１０１ｂの一部である見出し情報及びエントリ情報としてＵＣＳ３７により次のように管理されている。
【００４６】
図６は、見出し情報とエントリ情報との関係を表した一例のデータ構造図である。見出し情報は、見出しＩＤ，見出し名，所属エントリ情報などを含むように構成される。所属エントリ情報は、エントリＩＤの配列を含むように構成される。見出しＩＤは、見出しを特定する識別子である。見出し名は、見出しとして表示される「常用」，「あ」などの表示名である。エントリＩＤの配列は、その見出しに所属するエントリのエントリＩＤの配列である。
【００４７】
一方、エントリ情報は、エントリＩＤ，名前，表示名，エントリ種別，ユーザコード情報，メール情報，ＦＡＸ情報，所属情報，認証情報，グループ情報，見出し情報などを含むように構成される。
【００４８】
ユーザコード情報は、ユーザコード，利用制限などを含むように構成される。メール情報は、メールアドレスを含むように構成される。ＦＡＸ情報は、ＦＡＸ番号を含むように構成される。所属情報は、会社名，部署名などを含むように構成される。認証情報は、パスワードなどを含むように構成される。グループ情報は、グループＩＤなどを含むように構成される。また、見出し情報は見出しＩＤなどを含むように構成される。
【００４９】
図６に表されるように、見出し情報とエントリ情報とは、見出し情報の所属エントリ情報に含まれるエントリＩＤの配列により関連付けられている。なお、エントリ情報はエントリを区別するための最小単位の情報である。即ち、エントリ情報があればエントリを表示できる。また、見出しに所属するエントリは、所属エントリ情報に含まれるエントリＩＤの配列から判別できる。さらに、選択されたエントリのメールアドレスは、エントリ情報に含まれているメール情報から判別できる。したがって、スキャナアプリ２４はＵＣＳ３７から取得したユーザ情報１０５を使用してアドレス帳画面１２１及び１２２を操作パネル８０に表示することができる。
【００５０】
図７は、スキャナアプリがＵＣＳから自機のユーザ情報を取得してアドレス帳画面を表示する処理の一例のシーケンス図である。ステップＳ１では、画像処理装置１の操作パネル８０に設けられたスキャナアプリ２４を起動させるためのソフトキー（以下、スキャナ画面移行ボタンという）が押下され、操作パネル８０からスキャナ画面移行ボタンのキーＩＤがＳＣＳ３９に送信される。
【００５１】
ステップＳ２に進み、ＳＣＳ３９は操作パネル８０から受信したキーＩＤに応じてスキャナ移行通知をスキャナアプリ２４に送信する。ステップＳ３に進み、スキャナアプリ２４はスキャナ実行可否を確認する。ステップＳ４に進み、スキャナアプリ２４は確認した実行可否に応じてスキャナへの移行がＯＫであるか否かを判定する。スキャナアプリ２４は、移行がＯＫであれば（Ｓ４においてＹＥＳ）、ステップＳ８に進む。
【００５２】
一方、スキャナアプリ２４は移行がＮＧであれば（Ｓ４においてＮＯ）、ステップＳ５に進み、ＳＣＳ３９に対して移行不可通知を送信する。ステップＳ６に進み、ＳＣＳ３９は受信した移行不可通知に応じて拒絶のブザーを鳴らす。そして、ＳＣＳ３９はステップＳ７に進み、処理を終了する。
【００５３】
ステップＳ８では、スキャナアプリ２４が、ＳＣＳ３９に対して移行可能応答を送信する。ステップＳ９に進み、ＳＣＳ３９は受信した移行可能応答に応じてスキャナ移行許可をスキャナアプリ２４に送信する。ステップＳ１０に進み、スキャナアプリ２４は受信したスキャナ移行許可に応じて「お待ちください画面」を操作パネル８０に表示させるためのデータを作成する。ステップＳ１１に進み、スキャナアプリ２４はステップＳ１０で作成したデータを操作パネル８０に送信して「お待ちください画面」の表示を要求する。ステップＳ１２に進み、操作パネル８０は「お待ちください画面」を操作パネル８０に表示する。
【００５４】
また、ステップＳ１３に進み、スキャナアプリ２４はＵＣＳ３７に見出し情報取得要求を送信する。ステップＳ１４に進み、ＵＣＳ３７は受信した見出し情報取得要求に応じて見出し情報をスキャナアプリ２４に送信する。ステップＳ１５に進み、スキャナアプリ２４はステップＳ１４で取得した見出し情報に応じてＵＣＳ３７にエントリ情報取得要求を送信する。なお、スキャナアプリ２４はステップＳ１４で取得した見出し情報の所属エントリ情報に含まれるエントリＩＤの配列に応じてエントリ情報取得要求を行う。
【００５５】
ステップＳ１６に進み、ＵＣＳ３７は受信したエントリ情報取得要求に応じてエントリ情報をスキャナアプリ２４に送信する。ステップＳ１７に進み、スキャナアプリ２４はステップＳ１４で取得した見出し情報に応じて取得したいエントリ情報，言い換えれば取得すべきエントリ情報がまだあるか否かを判定する。
【００５６】
取得したいエントリ情報がまだあると判定すると（Ｓ１７においてＹＥＳ）、スキャナアプリ２４はステップＳ１５に戻り処理を続ける。一方、取得したいエントリ情報がもうないと判定すると（Ｓ１７においてＮＯ）、スキャナアプリ２４はステップＳ１８に進み、受信した見出し情報及びエントリ情報を用いて図５のようなアドレス帳画面１２１を操作パネル８０に表示させるためのデータを作成する。ステップＳ１９に進み、スキャナアプリ２４はステップＳ１８で作成したデータを操作パネル８０に送信してアドレス帳画面１２１の表示を要求する。ステップＳ２０に進み、操作パネル８０はアドレス帳画面１２１を操作パネル８０に表示する。また、スキャナアプリ２４はステップＳ２１に進み、移行応答をＳＣＳ３９に送信して処理を終了する。
【００５７】
次に、ファックスアプリ２３又はスキャナアプリ２４が、他機のＵＣＳ３７からユーザ情報を取得して、操作パネル８０にアドレス帳画面１２１，１２２を表示する処理について説明していく。
【００５８】
図８は、ネットワークを介して接続されている二つの画像処理装置の詳細を表した一例の構成図である。なお、図８では、説明に必要のない構成を省略している。図８では、画像処理装置１ａ及び１ｂがＬＡＮやインターネット等のネットワーク１００を介して接続されている。画像処理装置１ａは、自機のユーザ情報として予めユーザ情報１０１ａが設定されている。画像処理装置１ｂは、自機のユーザ情報として予めユーザ情報１０１ｂが設定されている。画像処理装置１ｂのＵＣＳ３７は、画像処理装置１ａのＵＣＳ３７にクライアント登録することで、画像処理装置１ａのユーザ情報１０１ａを自機のユーザ情報１０１ｂのように使用することができる。
【００５９】
例えば画像処理装置１ｂのスキャナアプリ２４は、画像処理装置１ａのユーザ情報１０１ａを一時的に取得して利用する場合、自機のＵＣＳ３７に対して画像処理装置１ａのアドレス帳画面１２１を要求する。画像処理装置１ｂのＵＣＳ３７は、画像処理装置１ａのＵＣＳ３７を介して画像処理装置１ａのユーザ情報１０１ａを取得する。画像処理装置１ｂのＵＣＳ３７は、取得した画像処理装置１ａのユーザ情報１０１ａを画像処理装置１ｂのスキャナアプリ２４に送信する。なお、画像処理装置１ａ及び画像処理装置１ｂのＵＣＳ３７は、画像処理装置１ａ及び画像処理装置１ｂのＮＣＳ３１とネットワーク１００を介してユーザ情報の送受信を行う。
【００６０】
図８では、ユーザ情報を取得する取得先として画像処理装置１ａが選択されている例を表している。本発明による画像処理装置１ｂは、以下のようにユーザ情報の取得先を選択することができる。
【００６１】
図９は、ユーザ情報の取得先を選択する取得先選択画面の一例のイメージ図である。例えば操作パネル８０に表示されたアドレス帳画面１２１のボタン１２４が操作者に押下されると、画像処理装置１ｂのスキャナアプリ２４は取得先選択画面１２３を操作パネル８０に表示する。取得先選択画面１２３は、自機のユーザ情報１０１ｂを取得先として選択するためのボタン１２５と，ＬＤＡＰ（Lightweight Directory Access Protocol）に準拠している配信サーバ（図示せず）を取得先として選択するためのボタン１２６と，画像処理装置１ａなどの他の画像処理装置を取得先として選択するためのボタン１２７とが含まれている。
【００６２】
画像処理装置１ｂの操作者は、操作パネル８０に表示された取得先選択画面１２３のボタン１２７を押下することで、ユーザ情報の取得先として他の画像処理装置を選択する処理に進むことができる。なお、他の画像処理装置を選択する処理は、複数種類考えられるため、順番に説明していく。
【００６３】
他の画像処理装置を選択する第１の処理は、操作者に他の画像処理装置のＩＰアドレス又はホスト名を入力させるものである。例えば操作パネル８０に表示された取得先選択画面１２３のボタン１２７を押下されると、スキャナアプリ２４はＩＰアドレス又はホスト名を入力させるための画面１２８を操作パネル８０に表示する。図１０は、他の画像処理装置を選択する画面の第１実施例のイメージ図である。操作者は、画像処理装置のＩＰアドレス又はホスト名を画面１２８に入力することにより、そのＩＰアドレス又はホスト名に対応する画像処理装置をユーザ情報の取得先として選択できる。
【００６４】
他の画像処理装置を選択する第２の処理は、メールアドレスを持った画像処理装置のＩＰアドレス一覧を操作パネル８０に表示して、操作者に選択させるものである。例えば操作パネル８０に表示された取得先選択画面１２３のボタン１２７を押下されると、スキャナアプリ２４はメールアドレスを持った画像処理装置のＩＰアドレス一覧から一つの画像処理装置のＩＰアドレスを選択させるための画面１２９を操作パネル８０に表示する。図１１は、他の画像処理装置を選択する画面の第２実施例のイメージ図である。
【００６５】
なお、メールアドレスを持った画像処理装置のＩＰアドレス一覧は、例えばＭＩＢ（管理情報ベース）を使用することで実現できる。操作者は、画面１２９に表示された画像処理装置のＩＰアドレス一覧から一つのＩＰアドレスを選択することにより、そのＩＰアドレスに対応する画像処理装置をユーザ情報の取得先として選択できる。
【００６６】
他の画像処理装置を選択する第３の処理は、事前に登録してある画像処理装置のアイコン一覧を操作パネル８０に表示して操作者に選択させるものである。例えば操作パネル８０に表示された取得先選択画面１２３のボタン１２７を押下されると、スキャナアプリ２４は画像処理装置のアイコン一覧から一つの画像処理装置のアイコンを選択させるための画面１３０を操作パネルに表示する。図１２は、他の画像処理装置を選択する画面の第３実施例のイメージ図である。
【００６７】
なお、画面１３０の画像処理装置のアイコン一覧は、例えば特開２００１−９２７６３号公報に記載されている内容を利用することで実現できる。操作者は、画面１３０に表示された画像処理装置のアイコン一覧から一つのアイコンを選択することにより、そのアイコンに対応する画像処理装置をユーザ情報の取得先として選択できる。
【００６８】
他の画像処理装置を選択する第４の処理は、事前に登録してある画像処理装置のＩＰアドレス一覧を操作パネル８０に表示して、操作者に選択させるものである。例えば操作パネル８０に表示された取得先選択画面１２３のボタン１２７を押下されると、スキャナアプリ２４は画像処理装置のＩＰアドレス一覧から一つの画像処理装置のＩＰアドレスを選択させるための画面１３１を操作パネル８０に表示する。図１３は、他の画像処理装置を選択する画面の第４実施例のイメージ図である。操作者は、画面１３１に表示された画像処理装置のＩＰアドレス一覧から一つのＩＰアドレスを選択することにより、そのＩＰアドレスに対応する画像処理装置をユーザ情報の取得先として選択できる。
【００６９】
他の画像処理装置を選択する第５の処理は、事前に登録してある画像処理装置のＩＰアドレス一覧と、その時点で画像処理装置のＩＰアドレス一覧から選択されている画像処理装置の詳細情報とを操作パネル８０に表示して、操作者に選択させるものである。例えば操作パネル８０に表示された取得先選択画面１２３のボタン１２７を押下されると、スキャナアプリ２４は画像処理装置のＩＰアドレス一覧から一つの画像処理装置のＩＰアドレスを選択させるための画面１３２を操作パネル８０に表示する。
【００７０】
図１４は、他の画像処理装置を選択する画面の第５実施例のイメージ図である。画面１３２は、事前に登録してある画像処理装置のＩＰアドレス一覧と、その時点で画像処理装置のＩＰアドレス一覧から選択されているＩＰアドレス「１１１．１１１．１１１．１１１」の画像処理装置の詳細情報とを含む。詳細情報には、画像処理装置をユーザ情報の取得先として選択するときに参考となる各種情報が含まれる。
【００７１】
操作者は、詳細情報を参考にしながら画面１３２に表示された画像処理装置のＩＰアドレス一覧から一つのＩＰアドレスを選択することにより、そのＩＰアドレスに対応する画像処理装置をユーザ情報の取得先として選択できる。なお、図１４の画面１３２では画像処理装置のＩＰアドレス一覧を表示した例を表したが、画像処理装置のアイコン一覧であってもよい。
【００７２】
他の画像処理装置を選択する第６の処理は、その時点で故障などが原因で使用できない画像処理装置のＩＰアドレス一覧と、その時点で画像処理装置のＩＰアドレス一覧から選択されている画像処理装置の詳細情報とを操作パネル８０に表示して、操作者に選択させるものである。例えば操作パネル８０に表示された取得先選択画面１２３のボタン１２７を押下されると、スキャナアプリ２４は使用できない画像処理装置のＩＰアドレス一覧から一つの画像処理装置のＩＰアドレスを選択させるための画面１３３を操作パネル８０に表示する。
【００７３】
図１５は、他の画像処理装置を選択する画面の第６実施例のイメージ図である。画面１３３は、使用できない画像処理装置のＩＰアドレス一覧と、その時点で画像処理装置のＩＰアドレス一覧から選択されているＩＰアドレス「１１１．１１１．１１１．１１１」の画像処理装置の詳細情報とを含む。詳細情報には、その画像処理装置が使用できない理由など、画像処理装置をユーザ情報の取得先として選択するときに参考となる各種情報が含まれる。
【００７４】
使用できない画像処理装置のＩＰアドレス一覧は、例えばＭＩＢを使用することで実現できる。操作者は、画面１３３に表示された画像処理装置のＩＰアドレス一覧から一つのＩＰアドレスを選択することにより、そのＩＰアドレスに対応する画像処理装置をユーザ情報の取得先として選択できる。なお、図１５の画面１３３では画像処理装置のＩＰアドレス一覧を表示した例を表したが、画像処理装置のアイコン一覧であってもよい。
【００７５】
他の画像処理装置を選択する第７の処理は、所定条件に合致する画像処理装置のＩＰアドレス一覧と、その時点で画像処理装置のＩＰアドレス一覧から選択されている画像処理装置の詳細情報とを操作パネル８０に表示して、操作者に選択させるものである。例えば操作パネル８０に表示された取得先選択画面１２３のボタン１２７を押下されると、スキャナアプリ２４は所定条件に合致する画像処理装置のＩＰアドレス一覧から一つの画像処理装置のＩＰアドレスを選択させるための画面１３４を操作パネル８０に表示する。
【００７６】
図１６は、他の画像処理装置を選択する画面の第７実施例のイメージ図である。画面１３４は、アドレスバージョン２以上のアドレス帳を持つ画像処理装置のＩＰアドレス一覧と、その時点で画像処理装置のＩＰアドレス一覧から選択されているＩＰアドレス「１１１．１１１．１１１．１１１」の画像処理装置の詳細情報とを含む。詳細情報には、その画像処理装置が持つアドレスバージョンなど、画像処理装置をユーザ情報の取得先として選択するときに参考となる各種情報が含まれる。
【００７７】
アドレスバージョンなどの所定条件でフィルタリングされた画像処理装置のＩＰアドレス一覧は、ｐｉｎｇを使用することで実現できる。操作者は、画面１３４に表示された画像処理装置のＩＰアドレス一覧から一つのＩＰアドレスを選択することにより、そのＩＰアドレスに対応する画像処理装置をユーザ情報の取得先として選択できる。なお、図１６の画面１３４では画像処理装置のＩＰアドレス一覧を表示した例を表したが、画像処理装置のアイコン一覧であってもよい。
【００７８】
ここで、他の画像処理装置を選択する第３の処理および第４の処理において、画像処理装置のアイコン又はＩＰアドレスを事前登録する処理について説明する。まず、外部機器情報を利用するモジュールの一例としてのファックスアプリ２３又はスキャナアプリ２４が、外部機器情報を管理するモジュールの一例としてのＵＣＳ３７に外部機器情報を事前登録する処理について説明する。
【００７９】
図１７は、外部機器情報の取得要求，追加要求，変更要求，削除要求について説明するための図である。なお、図１７では説明に必要のない構成を省略している。画像処理装置１ｂに含まれるＵＣＳ３７は、外部機器情報１７０を一元管理している。ＵＣＳ３７が管理する外部機器情報１７０には、ＩＰアドレス，認証情報，位置情報，ホスト名などの外部機器に関する情報が含まれている。
【００８０】
ＵＣＳ３７は、ファックスアプリ２３，スキャナアプリ２４又はＳＣＳ３９からの取得要求に応じて、外部機器情報１７０をファックスアプリ２３，スキャナアプリ２４又はＳＣＳ３９に提供する。また、ＵＣＳ３７は、ＳＣＳ３９からの追加要求，変更要求又は削除要求に応じて、外部機器情報１７０を追加，変更又は削除する。
【００８１】
ファックスアプリ２３は、ＵＣＳ３７に外部機器情報１７０の取得要求を行い、外部機器情報１７０のうち外部機器を選択又は使用するために必要な外部機器情報１７１を取得し、その外部機器情報１７１を用いて操作パネル８０に図１２のような取得先選択画面１３０又は図１３のような取得先選択画面１３１を表示する。スキャナアプリ２４は、ＵＣＳ３７に外部機器情報１７０の取得要求を行い、外部機器情報１７０のうち外部機器を選択又は使用するために必要な外部機器情報１７２を取得し、その外部機器情報１７２を用いて操作パネル８０に図１２のような取得先選択画面１３０又は図１３のような取得先選択画面１３１を表示する。
【００８２】
ＳＣＳ３９のシステム初期設定機能１０３は、ＵＣＳ３７に外部機器情報１７０の取得要求，追加要求，変更要求，削除要求を行い、外部機器情報１７０のうち外部機器を選択又は使用するために必要な外部機器情報の取得，追加，変更，削除を行う。なお、ＳＣＳ３９のソフトキーボード機能１０２は操作パネル８０にソフトキーボードを表示し、そのソフトキーボードの制御を行う。
【００８３】
さらに、ＳＣＳ３９が行う外部機器情報１７０の取得処理，追加処理，変更処理，削除処理の詳細について説明する。なお、ファックスアプリ２３及びスキャナアプリ２４が行う外部機器情報１７０の取得要求は、ＳＣＳ３９が行う外部機器情報１７０の取得処理と同様である。
【００８４】
図１８は、ＵＣＳから外部機器情報を取得して、操作パネルに外部機器情報一覧画面を表示する処理の一例のシーケンス図である。ステップＳ３１では、操作パネル８０に表示されている外部機器情報の追加／変更／削除ボタンが押下され、その旨がＳＣＳ３９に通知される。
【００８５】
ステップＳ３２に進み、ＳＣＳ３９はＵＣＳ３７に対して外部機器ＩＤ一覧取得要求を送信する。ステップＳ３３に進み、ＵＣＳ３７は受信した外部機器ＩＤ一覧取得要求に応じて外部機器情報１７０のうち外部機器ＩＤの配列を読み出し、その外部機器ＩＤの配列を外部機器ＩＤ情報としてＳＣＳ３９に送信する。ステップＳ３４に進み、ＳＣＳ３９は受信した外部機器ＩＤ情報に応じて外部機器情報取得要求をＵＣＳ３７に送信する。ステップＳ３５に進み、ＵＣＳ３７は受信した外部機器情報取得要求に応じて外部機器情報をＳＣＳ３９に送信する。
【００８６】
ステップＳ３６に進み、ＳＣＳ３９はステップＳ３３で取得した外部機器ＩＤ情報に応じて取得したい外部機器情報，言い換えれば取得すべき外部機器情報がまだあるか否かを判定する。取得したい外部機器情報がまだあると判定すると（Ｓ３６においてＹＥＳ）、ＳＣＳ３９はステップＳ３４に戻り処理を続ける。一方、取得したい外部機器情報がもうないと判定すると（Ｓ３６においてＮＯ）、ＳＣＳ３９はステップＳ３７に進み、外部機器情報一覧画面を操作パネル８０に表示させるためのデータを作成する。ステップＳ３８に進み、ＳＣＳ３９はステップＳ３７で作成したデータを操作パネル８０に送信して外部機器情報一覧画面を操作パネル８０に表示する。
【００８７】
図１９は、外部機器情報を追加する処理の一例のシーケンス図である。ステップＳ４１では、操作パネル８０に表示されている外部機器情報の新規登録ボタンが押下され、その旨がＳＣＳ３９に通知される。なお、図示を省略しているが、ＳＣＳ３９はステップＳ４１の後で外部機器情報の新規登録画面を操作パネル８０に表示させるためのデータを作成し、そのデータを操作パネル８０に送信して新規登録画面を表示させている。
【００８８】
ステップＳ４２に進み、操作者は操作パネル８０に表示されている新規登録画面に外部機器情報を入力する。外部機器情報の入力が終わると、操作者は操作パネル８０に表示されている外部機器情報の登録ボタンを押下する。操作パネル８０に表示されている外部機器情報の登録ボタンが押下されると、操作パネル８０はステップＳ４３に進み、新規登録画面に入力された外部機器情報をＳＣＳ３９に送信する。
【００８９】
ステップＳ４４に進み、ＳＣＳ３９は受信した外部機器情報に応じて外部機器情報追加要求をＵＣＳ３７に送信する。ＵＣＳ３７は、外部機器情報追加要求に応じた外部機器情報を事前に登録してある外部機器情報１７０に追加する。そして、ＵＣＳ３７はステップＳ４５に進み、外部機器情報追加要求に応じた外部機器情報を事前に登録してある外部機器情報１７０に追加した結果をＳＣＳ３９に通知して処理を終了する。
【００９０】
図２０は、外部機器情報を変更する処理の一例のシーケンス図である。ステップＳ５１では、操作者が操作パネル８０に表示されている外部機器情報一覧画面から一つの外部機器情報を表すボタンを押下する。操作パネル８０は、押下されたボタンに対応する外部機器ＩＤ情報をＳＣＳ３９に通知する。ステップＳ５２に進み、ＳＣＳ３９は受信した外部機器ＩＤ情報に応じて外部機器情報取得要求をＵＣＳ３７に送信する。ステップＳ５３に進み、ＵＣＳ３７は受信した外部機器情報取得要求に応じて外部機器情報をＳＣＳ３９に送信する。
【００９１】
ステップＳ５４に進み、ＳＣＳ３９は外部機器情報編集画面を操作パネル８０に表示させるためのデータを作成する。ステップＳ５５に進み、ＳＣＳ３９はステップＳ５４で作成したデータを操作パネル８０に送信して外部機器情報編集画面を操作パネル８０に表示する。ステップＳ５６に進み、操作者は操作パネル８０に表示されている外部機器情報編集画面の外部機器情報を変更する。外部機器情報の変更が終わると、操作者は操作パネル８０に表示されている外部機器情報の変更ボタンを押下する。操作パネル８０に表示されている外部機器情報の変更ボタンが押下されると、操作パネル８０はステップＳ５７に進み、変更された外部機器情報をＳＣＳ３９に送信する。
【００９２】
ステップＳ５８に進み、ＳＣＳ３９は受信した外部機器情報に応じて外部機器情報変更要求をＵＣＳ３７に送信する。ＵＣＳ３７は、外部機器情報変更要求に応じて外部機器情報１７０を変更する。そして、ＵＣＳ３７はステップＳ５９に進み、外部機器情報変更要求に応じて外部機器情報１７０を変更した結果をＳＣＳ３９に通知して処理を終了する。
【００９３】
図２１は、外部機器情報を削除する処理の一例のシーケンス図である。ステップＳ６１では、操作者が操作パネル８０に表示されている外部機器情報一覧画面から一つの外部機器情報を表すボタンを押下する。続いて、操作者は操作パネル８０に表示されている削除ボタンを押下する。操作パネル８０は、押下されたボタンに対応する外部機器ＩＤ情報をＳＣＳ３９に通知する。ステップＳ６２に進み、ＳＣＳ３９は受信した外部機器ＩＤ情報に応じて外部機器情報削除要求をＵＣＳ３７に送信する。ステップＳ６３に進み、ＵＣＳ３７は外部機器情報削除要求に応じた外部機器情報を、事前に登録してある外部機器情報１７０から削除した結果をＳＣＳ３９に通知する。
【００９４】
ステップＳ６４に進み、ＳＣＳ３９は外部機器情報一覧画面を操作パネル８０に表示させるためのデータを作成する。ステップＳ６５に進み、ＳＣＳ３９はステップＳ６４で作成したデータを操作パネル８０に送信して外部機器情報一覧画面を操作パネル８０に表示して処理を終了する。
【００９５】
なお、外部機器情報の取得，追加，変更，削除するときに操作パネル８０に表示される画面の遷移について説明する。図２２は、外部機器情報の取得，追加，変更，削除するときに操作パネルに表示される画面の一例の遷移図（１／２）である。また、図２３は外部機器情報の取得，追加，変更，削除するときに操作パネルに表示される画面の一例の遷移図（２／２）である。
【００９６】
操作者が、初期設定／カウンタ／問合せ情報画面２２０に含まれるシステム初期設定ボタン２２１を押下すると、ＳＣＳ３９はシステム初期設定画面２２２を操作パネル８０に表示させる。さらに、操作者が、システム初期設定画面２２２に含まれる外部機器情報の追加／変更／削除ボタン２２３を押下すると、ＳＣＳ３９は取得先選択画面２２４を操作パネル８０に表示させる。取得先選択画面２２４は、外部機器情報一覧画面に相当する。
【００９７】
操作者が、取得先選択画面２２４に含まれる新規登録ボタン２２５を押下すると、ＳＣＳ３９は新規登録画面２２６を操作パネル８０に表示させる。なお、操作者が、新規登録画面２２６に含まれる認証ボタン２２７を押下すると、ＳＣＳ３９は認証情報入力画面２３０を操作パネル８０に表示させる。また、操作者が、新規登録画面２２６に含まれる位置情報ボタン２２８を押下すると、ＳＣＳ３９は位置情報入力画面２３１を操作パネル８０に表示させる。なお、操作者が、取得先選択画面２２４に含まれる一つの外部機器情報を表すボタンを押下すると、ＳＣＳ３９は外部機器情報編集画面（図示せず）を操作パネルに表示する。
【００９８】
次に、他の画像処理装置を選択する第７の処理において、他の画像処理装置の詳細情報を取得する処理について説明する。まず、外部機器情報を利用するモジュールの一例としての画像処理装置１ｂのファックスアプリ２３又はスキャナアプリ２４が、画像処理装置１ａの詳細情報を管理するモジュールの一例としての画像処理装置１ａのＵＣＳ３７から画像処理装置１ａの詳細情報を取得する処理について説明する。
【００９９】
図２４は、画像処理装置の詳細情報を取得する処理の一例のシーケンス図である。ステップＳ７１では、画像処理装置１ｂのスキャナアプリ２４が、画像処理装置１ａのＵＣＳ３７に対してクライアント登録を要求する。ステップＳ７２に進み、画像処理装置１ａのＵＣＳ３７は画像処理装置１ｂのスキャナアプリ２４に対してステップＳ７１の結果を通知する。
【０１００】
クライアント登録が成功すると、画像処理装置１ｂのスキャナアプリ２４はステップＳ７３に進み、画像処理装置１ａのＵＣＳ３７に対してユーザ情報の登録可能件数問い合せ処理を行う。ステップＳ７４に進み、画像処理装置１ａのＵＣＳ３７は画像処理装置１ｂのスキャナアプリ２４に対してユーザ情報の登録可能件数を通知する。
【０１０１】
ステップＳ７５に進み、画像処理装置１ｂのスキャナアプリ２４は画像処理装置１ａのＵＣＳ３７に対してユーザ情報の現在の登録件数問い合せ処理を行う。ステップＳ７６に進み、画像処理装置１ａのＵＣＳ３７は画像処理装置１ｂのスキャナアプリ２４に対してユーザ情報の現在の登録件数を通知する。
【０１０２】
ステップＳ７３〜Ｓ７６と同様な処理を繰り返すことにより、画像処理装置１ａの詳細情報の他のデータ項目も取得できる。図２４のシーケンス図で表した処理は、例えば画像処理装置１ａ，１ｂの接続時に行うネゴシエーションの一部として行う。図２４のシーケンス図で表した処理により取得した詳細情報を利用することで、画像処理装置１ｂは操作パネル８０に図２５のような詳細情報一覧画面２５０を表示する。
【０１０３】
図２５は、詳細情報一覧画面の一例のイメージ図である。図２４のシーケンス図で表した処理では、画像処理装置１ｂのスキャナアプリ２４が画像処理装置１ａのＵＣＳ３７にクライアント登録するため、詳細情報のデータ構造も取得できる。したがって、図２５の詳細情報一覧画面には、画像処理装置１ａの詳細情報のデータ構造を含ませることができる。
【０１０４】
次に、画像処理装置１ａのＵＣＳ３７の能力を事前にチェックして、画像処理装置１ａのＵＣＳ３７から画像処理装置１ｂのＵＣＳ３７へのユーザ情報の送信が可能か否かを判定する処理について説明する。図２６は、他の画像処理装置のＵＣＳの能力を事前にチェックして、他の画像処理装置のＵＣＳから自機のＵＣＳへのユーザ情報の送信が可能か否かを判定する処理の一例のシーケンス図である。
【０１０５】
ステップＳ８１では、外部のユーザ情報を使用するために画像処理装置１ｂの操作パネル８０に設けられたソフトキー（以下、外部アドレス使用ボタンという）が押下され、操作パネル８０から外部アドレス使用ボタンのキーＩＤがＳＣＳ３９に送信される。外部アドレス使用ボタンは、例えば取得先選択画面１２３のボタン１２７を用いてユーザ情報の取得先として画像処理装置１ａを選択したあとに押下するボタンに相当する。
【０１０６】
ステップＳ８２に進み、画像処理装置１ｂのＳＣＳ３９は操作パネル８０から受信したキーＩＤに応じて外部アドレス使用通知を自機のスキャナアプリ２４に送信する。ステップＳ８３に進み、画像処理装置１ｂのスキャナアプリ２４は受信した外部アドレス使用通知に応じて外部アドレス使用要求を自機のＵＣＳ３７に送信する。ステップＳ８３の処理では、画像処理装置１ｂのスキャナアプリ２４が、自機のＵＣＳ３７に対して画像処理装置１ａのＵＣＳ３７を使用することを要求している。
【０１０７】
ステップＳ８４に進み、画像処理装置１ｂのＵＣＳ３７は画像処理装置１ａのＵＣＳ３７に対して利用開始宣言を通知する。この利用開始宣言により、融合機１ｂのＵＣＳ３７は画像処理装置１ａのＵＣＳ３７にクライアント登録する。ステップＳ８５に進み、画像処理装置１ａのＵＣＳ３７は画像処理装置１ｂのＵＣＳ３７に対してステップＳ８４の結果を通知する。言い換えれば、画像処理装置１ａのＵＣＳ３７はステップＳ８４の利用開始宣言によりクライアント登録が成功したか否かの結果を画像処理装置１ｂのＵＣＳ３７に通知する。
【０１０８】
クライアント登録が成功したという結果は、画像処理装置１ａにＵＣＳ３７があることを表している。また、クライアント登録が失敗したという結果は、画像処理装置１ａにＵＣＳ３７がないことを表している。したがって、画像処理装置１ｂのＵＣＳ３７はステップＳ８４，Ｓ８５の処理により、画像処理装置１ａのＵＣＳ３７の有無を確認できる。
【０１０９】
ステップＳ８６に進み、画像処理装置１ｂのＵＣＳ３７は画像処理装置１ａのＵＣＳ３７に対して能力を問い合わせる。ステップＳ８７に進み、画像処理装置１ａのＵＣＳ３７はステップＳ８６の問い合わせの結果として自身の能力を画像処理装置１ｂのＵＣＳ３７に通知する。
【０１１０】
ステップＳ８８に進み、画像処理装置１ｂのＵＣＳ３７は、ステップＳ８５で画像処理装置１ａのＵＣＳ３７から通知された結果に基づき、クライアント登録が成功したか否かを判定する。クライアント登録が成功したと判定すると（Ｓ８８においてＹＥＳ）、画像処理装置１ｂのＵＣＳ３７はステップＳ９１に進み、画像処理装置１ａのＵＣＳ３７の使用が可能である旨と、ステップＳ８７で通知された画像処理装置１ａのＵＣＳ３７の能力とを自機のスキャナアプリ２４に通知する。
【０１１１】
一方、クライアント登録が失敗したと判定すると（Ｓ８８においてＮＯ）、画像処理装置１ｂのＵＣＳ３７は画像処理装置１ａのＵＣＳ３７の使用が不可である旨を自機のスキャナアプリ２４に通知する。ステップＳ８９に進み、画像処理装置１ｂのスキャナアプリ２４は画像処理装置１ａのＵＣＳ３７の使用が不可であることを表すエラー表示画面を作成する。ステップＳ９０に進み、画像処理装置１ｂのスキャナアプリ２４はステップＳ８９で作成したエラー表示画面を操作パネル８０に表示させたあと処理を終了する。
【０１１２】
したがって、画像処理装置１ｂのスキャナアプリ２４は画像処理装置１ａのＵＣＳ３７に対するクライアント登録の成功又は失敗と、画像処理装置１ａのＵＣＳ３７の能力とを知ることができる。
【０１１３】
図２７は、スキャナアプリが、自機または他の画像処理装置のＵＣＳからユーザ情報を取得する処理の一例のシーケンス図である。ステップＳ１０１では、自機のユーザ情報を使用するために画像処理装置１ｂの操作パネル８０に設けられたソフトキー（以下、通常アドレス使用ボタンという）が押下され、操作パネル８０から通常アドレス使用ボタンのキーＩＤがＳＣＳ３９に送信される。通常アドレス使用ボタンは、例えば取得先選択画面１２３のボタン１２５に相当する。
【０１１４】
ステップＳ１０２に進み、画像処理装置１ｂのＳＣＳ３９は操作パネル８０から受信したキーＩＤに応じて通常アドレス使用通知を自機のスキャナアプリ２４に送信する。ステップＳ１０３に進み、画像処理装置１ｂのスキャナアプリ２４は受信した通常アドレス使用通知に応じてエントリ情報取得要求を自機のＵＣＳ３７に送信する。ステップＳ１０３の処理では、画像処理装置１ｂのスキャナアプリ２４が、自機のユーザ情報１０１ｂからのエントリ情報の取得を自機のＵＣＳ３７に要求している。
【０１１５】
ステップＳ１０４に進み、画像処理装置１ｂのＵＣＳ３７は自機のユーザ情報１０１ｂからエントリ情報を取得する。ステップＳ１０５に進み、画像処理装置１ｂのＵＣＳ３７はステップＳ１０４で取得したエントリ情報を自機のスキャナアプリ２４に送信する。ステップＳ１０６に進み、画像処理装置１ｂのスキャナアプリ２４はステップＳ１０５で受信したエントリ情報を用いて図５のようなアドレス帳画面１２１を操作パネル８０に表示させるためのデータを作成する。ステップＳ１０７に進み、画像処理装置１ｂのスキャナアプリ２４はステップＳ１０６で作成したデータを送信して操作パネル８０にアドレス帳画面１２１を表示する。
【０１１６】
なお、ステップＳ１０８〜Ｓ１１８の処理は、画像処理装置１ａのＵＣＳ３７の能力を事前にチェックして、画像処理装置１ａのＵＣＳ３７から画像処理装置１ｂのＵＣＳ３７へのユーザ情報の送信が可能か否かを判定する図２６のステップＳ８１〜Ｓ９１の処理と同様であるため、説明を省略する。
【０１１７】
ステップＳ１１９に進み、画像処理装置１ｂのスキャナアプリ２４はステップＳ１０９で受信した外部アドレス使用通知に応じてエントリ情報取得要求を自機のＵＣＳ３７に送信する。ステップＳ１１９の処理では、画像処理装置１ｂのスキャナアプリ２４が、画像処理装置１ａのユーザ情報１０１ａからのエントリ情報の取得を自機のＵＣＳ３７に要求している。
【０１１８】
ステップＳ１２０に進み、画像処理装置１ｂのＵＣＳ３７はステップＳ１１９で自機のスキャナアプリ２４から受信したエントリ情報取得要求を画像処理装置１ａのＵＣＳ３７に転送する。ステップＳ１２１に進み、画像処理装置１ａのＵＣＳ３７は自機のユーザ情報１０１ａからエントリ情報を取得する。ステップＳ１２２に進み、画像処理装置１ａのＵＣＳ３７はステップＳ１２１で取得したエントリ情報を画像処理装置１ｂのＵＣＳ３７に転送する。
【０１１９】
ステップＳ１２３に進み、画像処理装置１ｂのＵＣＳ３７はステップＳ１２２で画像処理装置１ａのＵＣＳ３７から転送されたエントリ情報を自機のスキャナアプリ２４に送信する。ステップＳ１２４に進み、画像処理装置１ｂのスキャナアプリ２４はステップＳ１２３で受信したエントリ情報を用いて図５のようなアドレス帳画面１２１を操作パネル８０に表示させるためのデータを作成する。ステップＳ１２５に進み、画像処理装置１ｂのスキャナアプリ２４はステップＳ１２４で作成したデータを送信して操作パネル８０にアドレス帳画面１２１を表示する。
【０１２０】
したがって、画像処理装置１ｂのスキャナアプリ２４は、自機のＵＣＳ３７に対して外部アドレス利用要求を行うことで、外部の画像処理装置１ａのＵＣＳ３７からユーザ情報を取得することができる。また、画像処理装置１ｂのＵＣＳ３７は、自機のスキャナアプリ２４からの外部アドレス利用要求の有無に応じて自機のユーザ情報１０１ｂを利用するか画像処理装置１ａのユーザ情報１０１ａを利用するかを判断できる。この結果、画像処理装置１ｂのスキャナアプリ２４は、自機または他の画像処理装置１ａのＵＣＳ３７の何れか一方をエントリ情報の取得先として容易に選択することができる。
【０１２１】
外部アドレス利用要求を行った画像処理装置１ｂのスキャナアプリ２４が、再び自機のユーザ情報１０１ｂを利用する場合、図２８のような処理が行われる。図２８は、スキャナアプリが、他の画像処理装置のＵＣＳからのユーザ情報の取得を終了する処理の一例のシーケンス図である。
【０１２２】
ステップＳ１３１では、外部のユーザ情報の使用を終了するために画像処理装置１ｂの操作パネル８０に設けられたソフトキー（以下、外部アドレス使用終了ボタンという）が押下され、操作パネル８０から外部アドレス使用終了ボタンのキーＩＤがＳＣＳ３９に送信される。外部アドレス使用終了ボタンは、例えば取得先選択画面１２３のボタン１２５に代用させてもよい。ステップＳ１３２に進み、画像処理装置１ｂのＳＣＳ３９は操作パネル８０から受信したキーＩＤに応じて外部アドレス使用終了通知を自機のスキャナアプリ２４に送信する。
【０１２３】
ステップＳ１３３に進み、画像処理装置１ｂのスキャナアプリ２４は受信した外部アドレス使用終了通知に応じて外部アドレス使用終了要求を自機のＵＣＳ３７に送信する。ステップＳ１３３の処理では、画像処理装置１ｂのスキャナアプリ２４が、自機のＵＣＳ３７に対して画像処理装置１ａのＵＣＳ３７の使用を終了することを要求している。ステップＳ１３４に進み、画像処理装置１ｂのＵＣＳ３７は画像処理装置１ａのＵＣＳ３７に対して利用終了要求を送信する。この利用終了要求により、融合機１ｂのＵＣＳ３７は画像処理装置１ａのＵＣＳ３７とのクライアント登録を解除する。
【０１２４】
ステップＳ１３５に進み、画像処理装置１ａのＵＣＳ３７は画像処理装置１ｂのＵＣＳ３７に対してステップＳ１３４の結果を通知する。言い換えれば、画像処理装置１ａのＵＣＳ３７はステップＳ１３４の利用終了要求によりクライアント登録の解除が成功したか否かの結果を画像処理装置１ｂのＵＣＳ３７に通知する。ステップＳ１３６に進み、画像処理装置１ｂのＵＣＳ３７はステップＳ１３５で通知された結果を自機のスキャナアプリ２４に通知する。
【０１２５】
ステップＳ１３７に進み、画像処理装置１ｂのスキャナアプリ２４はエントリ情報取得要求を自機のＵＣＳ３７に送信する。なお、画像処理装置１ｂのスキャナアプリ２４はステップＳ１３６で通知された結果に応じてステップＳ１３７の処理を行うか否かを判断するようにしてもよい。
【０１２６】
ステップＳ１３８に進み、画像処理装置１ｂのＵＣＳ３７は自機のユーザ情報１０１ｂからエントリ情報を取得する。ステップＳ１３９に進み、画像処理装置１ｂのＵＣＳ３７はステップＳ１３８で取得したエントリ情報を自機のスキャナアプリ２４に送信する。ステップＳ１４０に進み、画像処理装置１ｂのスキャナアプリ２４はステップＳ１３９で受信したエントリ情報を用いて図５のようなアドレス帳画面１２１を操作パネル８０に表示させるためのデータを作成する。ステップＳ１４１に進み、画像処理装置１ｂのスキャナアプリ２４はステップＳ１４０で作成したデータを送信して操作パネル８０にアドレス帳画面１２１を表示する。
【０１２７】
したがって、画像処理装置１ｂのスキャナアプリ２４は、外部アドレス利用要求を行ったあとであっても、外部アドレス利用終了要求を行うことで、再び自機のＵＣＳ３７が管理する自機のユーザ情報を取得できる。また、画像処理装置１ｂのＵＣＳ３７は、自機のスキャナアプリ２４からの外部アドレス利用終了要求の有無に応じて画像処理装置１ａのユーザ情報１０１ａの利用を終了するか否かを判断できる。この結果、画像処理装置１ｂのスキャナアプリ２４は、自機または他の画像処理装置１ａのＵＣＳ３７の何れか一方をエントリ情報の取得先として容易に選択することができる。
【０１２８】
図２６〜図２８のシーケンス図で表した処理を行うことで、画像処理装置１ｂは、画像処理装置１ａのＵＣＳ３７が管理するユーザ情報を、自機のＵＣＳ３７が管理するユーザ情報と同様に使用できる。
【０１２９】
図２９は、スキャナアプリが、他の画像処理装置のＵＣＳからユーザ情報を取得する処理の一例のシーケンス図である。ここでは、ユーザ情報の登録先として画像処理装置１ａが選択されているものとする。
【０１３０】
ステップＳ１５１では、画像処理装置１ｂの操作パネル８０に設けられたスキャナアプリ２４を起動させるためのソフトキー（以下、スキャナ画面移行ボタンという）が押下され、操作パネル８０からスキャナ画面移行ボタンのキーＩＤ及びユーザ情報の登録先が自機のＳＣＳ３９に送信される。
【０１３１】
ステップＳ１５２に進み、画像処理装置１ｂのＳＣＳ３９は操作パネル８０から受信したキーＩＤ及びユーザ情報の登録先に応じて外部アドレス帳でのアプリ移行通知を自機のスキャナアプリ２４に送信する。ステップＳ１５３に進み、画像処理装置１ｂのスキャナアプリ２４は受信した外部アドレス帳でのアプリ移行通知に応じて外部アドレス使用要求を自機のＵＣＳ３７に送信する。ステップＳ１５３の処理では、画像処理装置１ｂのスキャナアプリ２４が、自機のＵＣＳ３７に対して画像処理装置１ａのＵＣＳ３７を使用することを要求している。
【０１３２】
ステップＳ１５４に進み、画像処理装置１ｂのＵＣＳ３７は画像処理装置１ａのＵＣＳ３７に対してクライアント登録する。ステップＳ１５５に進み、画像処理装置１ａのＵＣＳ３７は画像処理装置１ｂのＵＣＳ３７に対してステップＳ１５４の結果を通知する。ステップＳ１５６に進み、画像処理装置１ｂのＵＣＳ３７は、ステップＳ１５５で画像処理装置１ａのＵＣＳ３７から通知された結果を自機のスキャナアプリ２４に通知する。ステップＳ１５７に進み、画像処理装置１ｂのスキャナアプリ２４は、ステップＳ１５６で画像処理装置１ｂのＵＣＳ３７から通知された結果に基づき、クライアント登録が成功したか否かを判定する。
【０１３３】
クライアント登録が成功したと判定すると（Ｓ１５７においてＹＥＳ）、画像処理装置１ｂのスキャナアプリ２４はステップＳ１６０に進む。一方、クライアント登録が失敗したと判定すると（Ｓ１５７においてＮＯ）、画像処理装置１ｂのスキャナアプリ２４はステップＳ１５８に進み、画像処理装置１ａのＵＣＳ３７の使用が不可であると判定し、画像処理装置１ａのＵＣＳ３７の使用が不可であることを表すエラー表示画面を作成する。ステップＳ１５９に進み、画像処理装置１ｂのスキャナアプリ２４はステップＳ１５８で作成したエラー表示画面を操作パネル８０に表示させたあと処理を終了する。
【０１３４】
ステップＳ１６０では、画像処理装置１ｂのスキャナアプリ２４が、ステップＳ１５２で受信した外部アドレス帳でのアプリ移行通知に応じてエントリ情報取得要求を自機のＵＣＳ３７に送信する。ステップＳ１６０のエントリ情報取得要求は、図３０のような関数により実現される。図３０は、エントリ情報取得要求関数の一例の説明図である。図３０のエントリ情報取得要求関数は、エントリ情報取得要求のパラメータ及び戻り値の一例を表している。なお、ステップＳ１６０の処理では、画像処理装置１ｂのスキャナアプリ２４が、画像処理装置１ａのユーザ情報１０１ａからのエントリ情報の取得を自機のＵＣＳ３７に要求している。
【０１３５】
ステップＳ１６１に進み、画像処理装置１ｂのＵＣＳ３７はステップＳ１６０で自機のスキャナアプリ２４から受信したエントリ情報取得要求を画像処理装置１ａのＵＣＳ３７に転送する。ステップＳ１６２に進み、画像処理装置１ａのＵＣＳ３７は自機のユーザ情報１０１ａからエントリ情報を取得する。ステップＳ１６３に進み、画像処理装置１ａのＵＣＳ３７はステップＳ１６２で取得したエントリ情報を画像処理装置１ｂのＵＣＳ３７に転送する。
【０１３６】
ステップＳ１６４に進み、画像処理装置１ｂのＵＣＳ３７はステップＳ１６３で画像処理装置１ａのＵＣＳ３７から転送されたエントリ情報を自機のスキャナアプリ２４に送信する。ステップＳ１６５に進み、画像処理装置１ｂのスキャナアプリ２４はステップＳ１６４で受信したエントリ情報を用いて図３１のようなアドレス帳画面３１０を操作パネル８０に表示させるためのデータを作成する。
【０１３７】
図３１は、アドレス帳画面の一例のイメージ図である。図３１のアドレス帳画面３１０の点線で囲まれた部分３１１は、画像処理装置１ａのＵＣＳ３７が管理するエントリ情報を利用して作成される。ステップＳ１６６に進み、画像処理装置１ｂのスキャナアプリ２４はステップＳ１６５で作成したデータを送信して操作パネル８０にアドレス帳画面３１０を表示する。
【０１３８】
したがって、画像処理装置１ｂのＵＣＳ３７が自機のスキャナアプリ２４と画像処理装置１ａのＵＣＳ３７との間で送受信されるコマンドをそのまま転送することで、画像処理装置１ｂのスキャナアプリ２４は画像処理装置１ａのユーザ情報１０１ａを容易に使用することができる。また、画像処理装置１ｂのスキャナアプリ２４は、自機のＵＣＳ３７および画像処理装置１ａのＵＣＳ３７に対するコマンドを同様に実装可能である。
【０１３９】
次に、図３１のようなアドレス帳画面３１０からエントリが選択された場合の処理について説明する。図３２は、他の画像処理装置のＵＣＳが管理するエントリ情報を利用して作成したアドレス帳画面から、一つのエントリが選択された場合の処理の一例のシーケンス図である。ここでは、画像処理装置１ｂの操作パネル８０に図３３のようなアドレス帳画面３３０が表示されているものとする。図３３は、アドレス帳画面の一例のイメージ図である。
【０１４０】
ステップＳ１７１では、画像処理装置１ｂの操作パネル８０に設けられたエントリを選択するためのソフトキー（以下、エントリ選択ボタンという）が押下され、操作パネル８０からエントリ選択ボタンのキーＩＤが自機のＳＣＳ３９に送信される。ステップＳ１７２に進み、画像処理装置１ｂのＳＣＳ３９は操作パネル８０から受信したキーＩＤに応じてエントリ選択通知を自機のスキャナアプリ２４に送信する。
【０１４１】
ステップＳ１７３に進み、画像処理装置１ｂのスキャナアプリ２４は受信したエントリ選択通知に応じてエントリ情報取得要求を自機のＵＣＳ３７に送信する。なお、画像処理装置１ｂのＵＣＳ３７は画像処理装置１ａのＵＣＳ３７に対してクライアント登録されているものとする。
【０１４２】
ステップＳ１７４に進み、画像処理装置１ｂのＵＣＳ３７はステップＳ１７３で自機のスキャナアプリ２４から受信したエントリ情報取得要求を画像処理装置１ａのＵＣＳ３７に転送する。ステップＳ１７５に進み、画像処理装置１ａのＵＣＳ３７は自機のユーザ情報１０１ａからエントリ情報を取得する。ステップＳ１７６に進み、画像処理装置１ａのＵＣＳ３７はステップＳ１７５で取得したエントリ情報を画像処理装置１ｂのＵＣＳ３７に転送する。
【０１４３】
ステップＳ１７７に進み、画像処理装置１ｂのＵＣＳ３７はステップＳ１７６で画像処理装置１ａのＵＣＳ３７から転送されたエントリ情報を自機のスキャナアプリ２４に送信する。ステップＳ１７８に進み、画像処理装置１ｂのスキャナアプリ２４はステップＳ１７７で受信したエントリ情報を用いて図３３のようなアドレス帳画面３３１を操作パネル８０に表示させるためのデータを作成する。ステップＳ１７９に進み、画像処理装置１ｂのスキャナアプリ２４はステップＳ１７８で作成したデータを送信して操作パネル８０にアドレス帳画面３３１を表示する。
【０１４４】
図３３のアドレス帳画面３３０は、ステップＳ１７１で選択されたエントリの詳細情報としてのメールアドレスを含むように構成される。アドレス帳画面３３０には、見出し「常用」に所属するメールアドレスを持った１２個のエントリが含まれている。ここで、操作者が操作パネル８０を操作してアドレス帳画面３３０からエントリ「０００２大谷」を選択すると、スキャナアプリ２４はユーザ情報１０１ａを使用してアドレス帳画面３３１を操作パネル８０に表示する。アドレス帳画面３３１には、エントリ「０００２大谷」に関連付けられているエントリの詳細情報としてのメールアドレス「ｏｈｔａｎｉ＠ｒｉｃｏｈ．ｊｐ」が含まれる。
【０１４５】
したがって、画像処理装置１ｂのＵＣＳ３７は、画像処理装置１ａのＵＣＳ３７が管理するエントリ情報を利用して作成したアドレス帳画面から一つのエントリが選択された場合にそのエントリの詳細情報を容易に取得することができる。
【０１４６】
次に、画像処理装置１ａと画像処理装置１ｂとの間で送受信されるデータを暗号化するための処理について説明する。画像処理装置１ａと画像処理装置１ｂとの間で送受信される詳細情報などのデータは個人情報が含まれるため、セキュリティ対応として暗号化を行うことが望ましい。
【０１４７】
図３４は、他の画像処理装置のセキュリティレベルを事前にチェックして、暗号化の種類を決定する処理の一例のシーケンス図である。ステップＳ１９１に進み、画像処理装置１ｂのスキャナアプリ２４は画像処理装置１ａのスキャナアプリ２４に対して暗号化のネゴシエーション開始要求を送信する。ステップＳ１９２に進み、画像処理装置１ａのスキャナアプリ２４はステップＳ１９１の結果を画像処理装置１ｂのスキャナアプリ２４に通知する。
【０１４８】
ステップＳ１９３に進み、画像処理装置１ｂのスキャナアプリ２４はステップＳ１９２で画像処理装置１ａのスキャナアプリ２４から通知されたステップＳ１９１の結果に応じて、暗号化のネゴシエーション開始がＯＫか否かを判定する。暗号化のネゴシエーション開始がＯＫであると判定すると（Ｓ１９３においてＹＥＳ）、画像処理装置１ｂのスキャナアプリ２４はステップＳ１９４に進む。なお、暗号化のネゴシエーション開始がＯＫでないと判定すると（Ｓ１９３においてＮＯ）、画像処理装置１ｂのスキャナアプリ２４は操作パネル８０にエラー表示画面を表示したあと処理を終了する。
【０１４９】
ステップＳ１９４では、画像処理装置１ｂのスキャナアプリ２４が、自機のサポートしている暗号化のリストを含ませて暗号化のネゴシエーション要求を画像処理装置１ａのスキャナアプリ２４に対して行う。ステップＳ１９５に進み、画像処理装置１ａのスキャナアプリ２４は受信したネゴシエーション要求に含まれる暗号化のリストと自機のサポートしている暗号化のリストとを比較し、画像処理装置１ａ及び１ｂの両方がサポートしている暗号化のリストを作成する。そして、画像処理装置１ａのスキャナアプリ２４は、画像処理装置１ａ及び１ｂの両方がサポートしている暗号化のリストのうち、自機のセキュリティレベルを満たす暗号化の種類を一つ決定する。なお、画像処理装置１ａのスキャナアプリ２４は、画像処理装置１ａ及び１ｂの両方がサポートしている暗号化のリストに、自機のセキュリティレベルを満たす暗号化の種類がなければ、画像処理装置１ｂのスキャナアプリ２４に対するデータの送信を拒絶する。
【０１５０】
画像処理装置１ａのスキャナアプリ２４は、決定した暗号化の種類または画像処理装置１ｂのスキャナアプリ２４に対するデータの送信の拒絶をステップＳ１９４の結果として画像処理装置１ｂのスキャナアプリ２４に通知する。ステップＳ１９６に進み、画像処理装置１ｂのスキャナアプリ２４は、ステップＳ１９５で画像処理装置１ａのスキャナアプリ２４から通知されたステップＳ１９４の結果に応じて、データの送信が拒絶されたか否かを判定する。
【０１５１】
データの送信が拒絶されたと判定すると（ステップＳ１９６においてＹＥＳ）、画像処理装置１ｂのスキャナアプリ２４は操作パネル８０にエラー表示画面を表示したあと処理を終了する。一方、データの送信が拒絶されていないと判定すると（ステップＳ１９６においてＮＯ）、画像処理装置１ｂのスキャナアプリ２４は処理を継続する。
【０１５２】
画像処理装置１ａのセキュリティレベルを事前にチェックして、暗号化の種類を決定する図３４の処理では、画像処理装置１ａのセキュリティレベルに合わない場合、画像処理装置１ａから画像処理装置１ｂに対するユーザ情報の送信を拒絶することができる。
【０１５３】
図３５は、他の画像処理装置のセキュリティレベルの範囲内で、暗号化の種類及び暗号化の範囲を決定する処理の一例のシーケンス図である。ステップＳ２０１に進み、画像処理装置１ｂのスキャナアプリ２４は画像処理装置１ａのスキャナアプリ２４に対して暗号化範囲（例えば、データの全部，データの一部など）のリスト要求を送信する。ステップＳ２０２に進み、画像処理装置１ａのスキャナアプリ２４はステップＳ２０１の結果を画像処理装置１ｂのスキャナアプリ２４に通知する。即ち、画像処理装置１ａのスキャナアプリ２４は自機のセキュリティレベルに合わせた暗号化範囲のリストを画像処理装置１ｂのスキャナアプリ２４に通知する。
【０１５４】
ステップＳ２０３に進み、画像処理装置１ｂのスキャナアプリ２４はステップＳ２０２で画像処理装置１ａのスキャナアプリ２４から通知された暗号化範囲のリストから一つの暗号化範囲を選出する。画像処理装置１ｂのスキャナアプリ２４は、自機の表示速度などを考慮して暗号化範囲を選出する。
【０１５５】
ステップＳ２０４に進み、画像処理装置１ｂのスキャナアプリ２４は画像処理装置１ａのスキャナアプリ２４に対して、ステップＳ２０３で選出した暗号化範囲を暗号化する範囲として指定する。ステップＳ２０５に進み、画像処理装置１ａのスキャナアプリ２４はステップＳ２０４の結果を画像処理装置１ｂのスキャナアプリ２４に通知する。
【０１５６】
ステップＳ２０６に進み、画像処理装置１ｂのスキャナアプリ２４はステップＳ２０５で画像処理装置１ａのスキャナアプリ２４から通知されたステップＳ２０４の結果に応じて、暗号化する範囲の指定がＯＫか否かを判定する。暗号化する範囲の指定がＯＫであると判定すると（Ｓ２０６においてＹＥＳ）、画像処理装置１ｂのスキャナアプリ２４はステップＳ２０７に進む。なお、暗号化する範囲の指定がＯＫでないと判定すると（Ｓ２０６においてＮＯ）、画像処理装置１ｂのスキャナアプリ２４は操作パネル８０にエラー表示画面を表示したあと処理を終了する。
【０１５７】
ステップＳ２０７では、画像処理装置１ｂのスキャナアプリ２４が、利用暗号化方式を画像処理装置１ａのスキャナアプリ２４に通知する。画像処理装置１ａのスキャナアプリ２４は、画像処理装置１ｂのスキャナアプリ２４が通知してきた利用暗号化方式が自機のセキュリティレベルを満たしているかを判定し、その利用暗号化方式を許可するか否かを決定する。ステップＳ２０８に進み、画像処理装置１ａのスキャナアプリ２４はステップＳ２０７の結果として、ステップＳ２０７で画像処理装置１ｂのスキャナアプリ２４から通知された利用暗号化方式の許可又は不許可を通知する。
【０１５８】
ステップＳ２０９に進み、画像処理装置１ｂのスキャナアプリ２４はステップＳ２０８で画像処理装置１ａのスキャナアプリ２４から通知されたステップＳ２０７の結果に応じて、通知した利用暗号化方式が許可されたか否かを判定する。利用暗号化方式が許可されたと判定すると（Ｓ２０９においてＹＥＳ）、画像処理装置１ｂのスキャナアプリ２４は処理を継続する。一方、利用暗号化方式が許可されなかったと判定すると（Ｓ２０９においてＮＯ）、画像処理装置１ｂのスキャナアプリ２４は操作パネル８０にエラー表示画面を表示したあと処理を終了する。
【０１５９】
画像処理装置１ａのセキュリティレベルの範囲内で、暗号化の種類及び暗号化の範囲を決定する図３５の処理では、画像処理装置１ｂが画像処理装置１ａのセキュリティレベルの範囲内で暗号化の種類及び暗号化の範囲を決定できる。
【０１６０】
次に、暗号化の鍵（暗号化キー）を画像処理装置１ａ及び１ｂに登録する処理について説明する。図３６は、暗号化の鍵を登録するときに画像処理装置の操作パネルに表示される画面の一例の遷移図である。
【０１６１】
操作者が、初期設定／カウンタ／問合せ情報画面３６１に含まれるシステム初期設定ボタン３６２を押下すると、ＳＣＳ３９はシステム初期設定画面３６３を操作パネル８０に表示させる。さらに、操作者が、システム初期設定画面３６３に含まれる外部アドレス帳との暗号化キー設定ボタン３６４を押下すると、ＳＣＳ３９は暗号化キー設定画面３６５を操作パネル８０に表示させる。操作者が、暗号化キー設定画面３６５に暗号化キーを入力して設定ボタンを押下すると、暗号化キーが登録される。
【０１６２】
図３７は、それぞれの画像処理装置で登録された暗号化キーの同一性をチェックする処理の一例のシーケンス図である。ステップＳ２１１に進み、画像処理装置１ｂのスキャナアプリ２４は操作パネル８０に入力された暗号化キーを元にダイジェストを生成する。ステップＳ２１２に進み、画像処理装置１ｂのスキャナアプリ２４は生成したダイジェストで任意の文字列を暗号化する。画像処理装置１ｂのスキャナアプリ２４は、暗号化した任意の文字列を含む鍵共有要求を画像処理装置１ａのスキャナアプリ２４に送信する。
【０１６３】
ステップＳ２１３に進み、画像処理装置１ａのスキャナアプリ２４は操作パネル８０に入力された暗号化キーを元にダイジェストを生成する。ステップＳ２１４に進み、画像処理装置１ａのスキャナアプリ２４は生成したダイジェストで鍵共有要求に含まれていた任意の文字列を復号する。
【０１６４】
ステップＳ２１５に進み、画像処理装置１ａのスキャナアプリ２４は復号した任意の文字列を元にダイジェストを生成する。画像処理装置１ａのスキャナアプリ２４は、生成した任意の文字列のダイジェストを含む鍵共有結果を画像処理装置１ｂのスキャナアプリ２４に送信する。
【０１６５】
ステップＳ２１６に進み、画像処理装置１ｂのスキャナアプリ２４はステップＳ２１１で暗号化される前の任意の文字列を元にダイジェストを生成する。ステップＳ２１７に進み、画像処理装置１ｂのスキャナアプリ２４は画像処理装置１ａのスキャナアプリ２４から送信された任意の文字列のダイジェストと、ステップＳ２１６で生成した任意の文字列のダイジェストとを比較する。
【０１６６】
ステップＳ２１８に進み、画像処理装置１ｂのスキャナアプリ２４はステップＳ２１７で行った比較の結果に応じて、画像処理装置１ａのスキャナアプリ２４から送信された任意の文字列のダイジェストとステップＳ２１６で生成した任意の文字列のダイジェストとが一致するか否かを判定する。
【０１６７】
画像処理装置１ａのスキャナアプリ２４から送信された任意の文字列のダイジェストとステップＳ２１６で生成した任意の文字列のダイジェストとが一致していないと判定すると、画像処理装置１ｂのスキャナアプリ２４は操作パネル８０に暗号化キーが一致しないことを表すエラー表示画面を表示したあと処理を終了する。
【０１６８】
一方、画像処理装置１ａのスキャナアプリ２４から送信された任意の文字列のダイジェストとステップＳ２１６で生成した任意の文字列のダイジェストとが一致すると判定すると、画像処理装置１ｂのスキャナアプリ２４は暗号化有りが指定されているエントリ情報取得要求を画像処理装置１ａのスキャナアプリ２４に送信する。
【０１６９】
ステップＳ２１９に進み、画像処理装置１ａのスキャナアプリ２４は操作パネル８０に入力された暗号化キーを元にダイジェストを生成し、そのダイジェストを鍵として保存する。ステップＳ２２０に進み、画像処理装置１ａのスキャナアプリ２４はステップＳ２１９で保存した鍵を使用し、前述したようなエントリ情報の暗号化を行う。画像処理装置１ａのスキャナアプリ２４は、ステップＳ２２０で暗号化されたエントリ情報を画像処理装置１ｂのスキャナアプリ２４に送信する。
【０１７０】
ステップＳ２２１に進み、画像処理装置１ｂのスキャナアプリ２４は、画像処理装置１ａのスキャナアプリ２４から受信した暗号化されたエントリ情報を、ステップＳ２１１で生成されたダイジェストで復号する。
【０１７１】
それぞれの画像処理装置で登録された暗号化キーの同一性をチェックする図３７の処理では、画像処理装置１ａ及び１ｂのそれぞれで登録された暗号化キーの同一性をチェックすることができ、同一性がチェックされた暗号化キーを用いて画像処理装置１ａと画像処理装置１ｂとの間で送受信されるエントリ情報を暗号化することができる。
【０１７２】
本発明は上記の実施例に限定されるものではなく、本発明の範囲内で種々の変形や変更が可能である。
【図面の簡単な説明】
【０１７３】
【図１】本発明による画像処理装置の一実施例の構成図である。
【図２】本発明による画像処理装置の一実施例のハードウェア構成図である。
【図３】ネットワークを介して接続されている二つの画像処理装置を表した一例の構成図である。
【図４】ユーザ情報の取得要求，追加要求，変更要求，削除要求について説明するための図である。
【図５】スキャナアプリが操作パネルに表示するアドレス帳画面の一例のイメージ図である。
【図６】見出し情報とエントリ情報との関係を表した一例のデータ構造図である。
【図７】スキャナアプリがＵＣＳから自機のユーザ情報を取得してアドレス帳画面を表示する処理の一例のシーケンス図である。
【図８】ネットワークを介して接続されている二つの画像処理装置の詳細を表した一例の構成図である。
【図９】ユーザ情報の取得先を選択する取得先選択画面の一例のイメージ図である。
【図１０】他の画像処理装置を選択する画面の第１実施例のイメージ図である。
【図１１】他の画像処理装置を選択する画面の第２実施例のイメージ図である。
【図１２】他の画像処理装置を選択する画面の第３実施例のイメージ図である。
【図１３】他の画像処理装置を選択する画面の第４実施例のイメージ図である。
【図１４】他の画像処理装置を選択する画面の第５実施例のイメージ図である。
【図１５】他の画像処理装置を選択する画面の第６実施例のイメージ図である。
【図１６】他の画像処理装置を選択する画面の第７実施例のイメージ図である。
【図１７】外部機器情報の取得要求，追加要求，変更要求，削除要求について説明するための図である。
【図１８】ＵＣＳから外部機器情報を取得して、操作パネルに外部機器情報一覧画面を表示する処理の一例のシーケンス図である。
【図１９】外部機器情報を追加する処理の一例のシーケンス図である。
【図２０】外部機器情報を変更する処理の一例のシーケンス図である。
【図２１】外部機器情報を削除する処理の一例のシーケンス図である。
【図２２】外部機器情報の取得，追加，変更，削除するときに操作パネルに表示される画面の一例の遷移図（１／２）である。
【図２３】外部機器情報の取得，追加，変更，削除するときに操作パネルに表示される画面の一例の遷移図（２／２）である。
【図２４】画像処理装置の詳細情報を取得する処理の一例のシーケンス図である。
【図２５】詳細情報一覧画面の一例のイメージ図である。
【図２６】他の画像処理装置のＵＣＳの能力を事前にチェックして、他の画像処理装置のＵＣＳから自機のＵＣＳへのユーザ情報の送信が可能か否かを判定する処理の一例のシーケンス図である。
【図２７】スキャナアプリが、自機または他の画像処理装置のＵＣＳからユーザ情報を取得する処理の一例のシーケンス図である。
【図２８】スキャナアプリが、他の画像処理装置のＵＣＳからのユーザ情報の取得を終了する処理の一例のシーケンス図である。
【図２９】スキャナアプリが、他の画像処理装置のＵＣＳからユーザ情報を取得する処理の一例のシーケンス図である。
【図３０】エントリ情報取得要求関数の一例の説明図である。
【図３１】アドレス帳画面の一例のイメージ図である。
【図３２】他の画像処理装置のＵＣＳが管理するエントリ情報を利用して作成したアドレス帳画面から、一つのエントリが選択された場合の処理の一例のシーケンス図である。
【図３３】アドレス帳画面の一例のイメージ図である。
【図３４】他の画像処理装置のセキュリティレベルを事前にチェックして、暗号化の種類を決定する処理の一例のシーケンス図である。
【図３５】他の画像処理装置のセキュリティレベルの範囲内で、暗号化の種類及び暗号化の範囲を決定する処理の一例のシーケンス図である。
【図３６】暗号化の鍵を登録するときに画像処理装置の操作パネルに表示される画面の一例の遷移図である。
【図３７】それぞれの画像処理装置で登録された暗号化キーの同一性をチェックする処理の一例のシーケンス図である。
【符号の説明】
【０１７４】
１，１ａ，１ｂ    画像処理装置
２    ソフトウェア群
３    融合機起動部
４    ハードウェア資源
５    アプリケーション層
６    プラットフォーム
２３    ファックスアプリ
２４    スキャナアプリ
３１    ＮＣＳ（ネットワークコントロールサービス）
３３    ＯＣＳ（操作パネルコントロールサービス）
３７    ＵＣＳ（ユーザ情報コントロールサービス）
３８    ＣＣＳ（セキュリティコントロールサービス）
３９    ＳＣＳ（システムコントロールサービス）
６０    コントローラ
６８    ハードディスク装置（ＨＤＤ）
８０    操作パネル
８１    ファックスコントロールユニット（ＦＣＵ）
８２    エンジン部
１００    ネットワーク
１０１ａ，１０１ｂ    ユーザ情報
【図１】
2005088529.tif 000003
【図２】
2005088529.tif 000004
【図３】
2005088529.tif 000005
【図４】
2005088529.tif 000006
【図５】
2005088529.tif 000007
【図６】
2005088529.tif 000008
【図７】
2005088529.tif 000009
【図８】
2005088529.tif 000010
【図９】
2005088529.tif 000011
【図１０】
2005088529.tif 000012
【図１１】
2005088529.tif 000013
【図１２】
2005088529.tif 000014
【図１３】
2005088529.tif 000015
【図１４】
2005088529.tif 000016
【図１５】
2005088529.tif 000017
【図１６】
2005088529.tif 000018
【図１７】
2005088529.tif 000019
【図１８】
2005088529.tif 000020
【図１９】
2005088529.tif 000021
【図２０】
2005088529.tif 000022
【図２１】
2005088529.tif 000023
【図２２】
2005088529.tif 000024
【図２３】
2005088529.tif 000025
【図２４】
2005088529.tif 000026
【図２５】
2005088529.tif 000027
【図２６】
2005088529.tif 000028
【図２７】
2005088529.tif 000029
【図２８】
2005088529.tif 000030
【図２９】
2005088529.tif 000031
【図３０】
2005088529.tif 000032
【図３１】
2005088529.tif 000033
【図３２】
2005088529.tif 000034
【図３３】
2005088529.tif 000035
【図３４】
2005088529.tif 000036
【図３５】
2005088529.tif 000037
【図３６】
2005088529.tif 000038
【図３７】
2005088529.tif 000039